(57)【特許請求の範囲】
【請求項１】
複数の画像を並べて表示する第１表示モードを有する表示部と、
画像の重要度を決定する重要度決定部と、
前記第１表示モードの前記表示部が表示する各画像の表示サイズを決定する表示サイズ決定部と
を備え、
前記表示サイズ決定部は、前記重要度が高い画像ほど前記表示サイズを大きくし、
前記第１表示モードの前記表示部は、一の連写によって撮像された連写画像群を構成する複数の連写画像が重ねられた第１画像を表示し、
前記重要度決定部は、前記重要度を決定する対象画像が前記第１画像であるか否かを判定し、その判定結果に基づいて、前記対象画像の前記重要度を決定する、電子機器。
【請求項２】
請求項１に記載の電子機器であって、
前記重要度決定部は、前記対象画像が前記第１画像である場合には、前記対象画像の前記重要度を前記連写画像群の連写数に基づいて決定する、電子機器。
【請求項３】
請求項１及び請求項２のいずれか一つに記載の電子機器であって、
前記表示部は、前記第１画像に含まれる前記複数の連写画像において、最も上に位置する画像を順次切り替えながら、前記第１画像を表示する、電子機器。
【請求項４】
複数の画像を並べて表示する第１表示モードを有する表示部と、
画像の重要度を決定する重要度決定部と、
前記第１表示モードの前記表示部が表示する各画像の表示サイズを決定する表示サイズ決定部と
を備え、
前記表示サイズ決定部は、前記重要度が高い画像ほど前記表示サイズを大きくし、
前記表示部が表示する複数の画像において、撮影日時が互いに近く、かつ互いに類似する複数の類似画像を特定する類似画像特定部をさらに備え、
前記第１表示モードの前記表示部は、前記複数の類似画像が重ねられた第２画像を表示し、
前記重要度決定部は、前記重要度を決定する対象画像が前記第２画像であるか否かを判定し、その判定結果に基づいて、前記対象画像の前記重要度を決定する、電子機器。
【請求項５】
請求項４に記載の電子機器であって、
前記重要度決定部は、前記対象画像が前記第２画像である場合には、前記対象画像の前記重要度を前記複数の類似画像の数に基づいて決定する、電子機器。
【請求項６】
請求項４及び請求項５のいずれか一つに記載の電子機器であって、
前記表示部は、前記第２画像に含まれる前記複数の類似画像において、最も上に位置する画像を順次切り替えながら、前記第２画像を表示する、電子機器。
【請求項７】
複数の画像を並べて表示する第１表示モードを有する表示部と、
画像の重要度を決定する重要度決定部と、
前記第１表示モードの前記表示部が表示する各画像の表示サイズを決定する表示サイズ決定部と
を備える電子機器であって、
前記表示サイズ決定部は、前記重要度が高い画像ほど前記表示サイズを大きくし、
前記重要度決定部は、前記重要度を決定する対象画像が前記電子機器以外の機器によって撮影された第１撮影画像であるか否かを判定し、前記対象画像が前記第１撮影画像である場合には、前記対象画像の撮影日時の近くで、前記電子機器が前記対象画像の撮影場所で撮影した第２撮影画像が、前記表示部が表示する複数の画像において存在するか否かを判定し、その第１判定結果に基づいて、前記対象画像の前記重要度を決定する、電子機器。
【請求項８】
請求項７に記載の電子機器であって、
前記重要度決定部は、前記対象画像が前記第１撮影画像である場合には、前記対象画像が撮影されたときに前記電子機器が前記対象画像の撮影場所に存在するか否かを判定し、その第２判定結果と、前記第１判定結果とに基づいて、前記対象画像の前記重要度を決定する、電子機器。
【請求項９】
請求項１乃至請求項８のいずれか一つに記載の電子機器であって、
前記表示部は、前記第１表示モードのときよりも画像を大きく表示する第２表示モードを有し、
前記重要度決定部は、前記重要度を決定する対象画像が、前記第２表示モードの前記表示部で表示された表示回数あるいは表示時間に基づいて、前記対象画像の前記重要度を決定する、電子機器。
【請求項１０】
請求項１乃至請求項９のいずれか一つに記載の電子機器であって、
前記重要度決定部は、前記重要度を決定する対象画像に対するユーザの評価に基づいて、前記対象画像の重要度を決定する、電子機器。
【請求項１１】
請求項１乃至請求項１０のいずれか一つに記載の電子機器であって、
前記第１表示モードの前記表示部は、動画像を再生しながら表示する、電子機器。
【請求項１２】
請求項１乃至請求項１１のいずれか一つに記載の電子機器であって、
前記第１表示モードの前記表示部が表示する、複数の画像が並べられる表示画面は、行列状の複数のブロックに区分され、
前記表示画面での複数の画像の配置を決定する配置決定部をさらに備え、
前記配置決定部は、
配置対象画像を前記表示画面に配置する際には、
前記複数のブロックを左上からラスタ方向に沿って順に見たときに最初に現れる空きブロックを特定する第１処理と、
前記空きブロックの左上隅と前記配置対象画像の左上隅とが一致するように前記配置対象画像が配置可能であるか否かを判定する第２処理と、
前記第２処理において前記配置対象画像が配置可能であると判定した場合に、前記空きブロックの左上隅と前記配置対象画像の左上隅とが一致するように前記配置対象画像を配置する第３処理と
を実行し、
前記配置決定部は、前記第２処理において前記配置対象画像が配置不可能であると判定した場合には、前記第３処理が実行されるまで繰り返し前記第１及び前記第２処理を実行し、２回目以降の前記第１処理では、今まで特定した前記空きブロックを除く前記複数のブロックを左上からラスタ方向に沿って順に見たときに最初に現れる前記空きブロックを特定する、電子機器。
【請求項１３】
電子機器の動作方法であって、
（ａ）複数の画像を並べて表示する工程と、
（ｂ）画像の重要度を決定する工程と、
（ｃ）前記工程（ａ）で表示される各画像の表示サイズを決定する工程と
を備え、
前記工程（ｃ）において、前記重要度が高い画像ほど前記表示サイズが大きくされ、
前記工程（ａ）において、一の連写によって撮像された連写画像群を構成する複数の連写画像が重ねられた第１画像が表示され、
前記工程（ｂ）において、前記重要度が決定される対象画像が前記第１画像であるか否かが判定され、その判定結果に基づいて、前記対象画像の前記重要度が決定される、電子機器の動作方法。
【請求項１４】
電子機器の動作方法であって、
（ａ）複数の画像を並べて表示する工程と、
（ｂ）画像の重要度を決定する工程と、
（ｃ）前記工程（ａ）で表示される各画像の表示サイズを決定する工程と
を備え、
前記工程（ｃ）において、前記重要度が高い画像ほど前記表示サイズが大きくされ、
（ｄ）前記電子機器が表示する複数の画像において、撮影日時が互いに近く、かつ互いに類似する複数の類似画像を特定する工程をさらに備え、
前記工程（ａ）において、前記複数の類似画像が重ねられた第１画像が表示され、
前記工程（ｂ）において、前記重要度が決定される対象画像が前記第１画像であるか否かが判定され、その判定結果に基づいて、前記対象画像の前記重要度が決定される、電子機器の動作方法。
【請求項１５】
電子機器の動作方法であって、
（ａ）複数の画像を並べて表示する工程と、
（ｂ）画像の重要度を決定する工程と、
（ｃ）前記工程（ａ）で表示される各画像の表示サイズを決定する工程と
を備え、
前記工程（ｃ）において、前記重要度が高い画像ほど前記表示サイズが大きくされ、
前記工程（ｂ）において、前記重要度を決定する対象画像が前記電子機器以外の機器によって撮影された第１撮影画像であるか否かが判定され、前記対象画像が前記第１撮影画像である場合には、前記対象画像の撮影日時の近くで、前記電子機器が前記対象画像の撮影場所で撮影した第２撮影画像が、前記電子機器が表示する複数の画像において存在するか否かが判定され、その判定結果に基づいて、前記対象画像の前記重要度が決定される、電子機器の動作方法。
【発明の詳細な説明】
【技術分野】
【０００１】
本発明は、電子機器に関する。
【背景技術】
【０００２】
特許文献１に記載されているように、従来から複数の画像を並べて表示する技術が開示されている。
【先行技術文献】
【特許文献】
【０００３】
【特許文献１】特開２０１４−１３７７４２号公報
【発明の概要】
【発明が解決しようとする課題】
【０００４】
複数の画像が並べて表示されたとき、ユーザにとって重要な画像が探しやすいことが望まれる。
【０００５】
そこで、本発明は上述の点に鑑みて成されたものであり、ユーザにとって重要な画像を探しやすくすることが可能な技術を提供することを目的とする。
【課題を解決するための手段】
【０００６】
電子機器が開示される。一の実施の形態では、電子機器は、複数の画像を並べて表示する第１表示モードを有する表示部と、画像の重要度を決定する重要度決定部と、第１表示モードの表示部が表示する各画像の表示サイズを決定する表示サイズ決定部とを備える。表示サイズ決定部は、重要度が高い画像ほど表示サイズを大きくする。
【発明の効果】
【０００７】
ユーザにとって重要な画像が探しやすくなる。
【図面の簡単な説明】
【０００８】
【図１】電子機器の外観の一例を概略的に示す斜視図である。
【図２】電子機器の外観の一例を概略的に示す裏面図である。
【図３】電子機器の電気的構成の一例を示す図である。
【図４】制御部に形成される機能ブロックの一例を示す図である。
【図５】電子機器の動作の一例を示すフローチャートである。
【図６】一覧表示画面の一例を概略的に示す図である。
【図７】選択操作された画像が拡大表示される様子の一例を概略的に示す図である。
【図８】最も上に位置する連写画像が順次切り替わる様子を示す図である。
【図９】重要度決定部の動作の一例を示すフローチャートである。
【図１０】重要度決定部の動作の一例を示すフローチャートである。
【図１１】重要度決定部の動作の一例を示すフローチャートである。
【図１２】一覧表示画面の一例を概略的に示す図である。
【図１３】一覧表示画面の一例を概略的に示す図である。
【図１４】配置決定部の構成の一例を示す図である。
【図１５】配置決定部の動作の一例を示すフローチャートである。
【図１６】配置決定部の動作を説明するための図である。
【図１７】配置決定部の動作を説明するための図である。
【図１８】配置決定部の動作を説明するための図である。
【図１９】配置決定部の動作を説明するための図である。
【図２０】配置決定部の動作を説明するための図である。
【発明を実施するための形態】
【０００９】
＜電子機器の外観＞
図１は、電子機器１の外観の一例を概略的に示す斜視図である。図２は、電子機器１の外観の一例を概略的に示す裏面図である。電子機器１は、例えば、スマートフォン等の携帯電話機である。
【００１０】
図１及び図２に示されるように、電子機器１は、当該電子機器１の前面に位置するカバーパネル２と、当該カバーパネル２が貼り付けられるケース３とを備えている。カバーパネル２及びケース３は、電子機器１の外装を成している。電子機器１の形状は、平面視において略長方形の板状となっている。
【００１１】
カバーパネル２は、電子機器１の前面部分の周縁部以外の部分を構成している。ケース３は、電子機器１の前面部分の周縁部、側面部分及び裏面部分を構成している。ケース３は、例えば、樹脂あるいは樹脂および金属で形成されている。当該樹脂としは、例えば、ポリカーボネート樹脂、ＡＢＳ樹脂あるいはナイロン系樹脂が採用される。また、当該金属としては、例えばアルミニウムなどが採用される。
【００１２】
カバーパネル２は、板状であって、平面視において略長方形を成している。カバーパネル２は、例えば、アクリル樹脂、ガラスあるいはサファイアなどで形成されている。ここで、サファイアとは、アルミナ（Ａｌ２Ｏ３）を主成分とする単結晶のことをいい、本明細書では、Ａｌ２Ｏ３純度が約９０％以上の単結晶のことをいう。傷がよりつき難く、割れや欠け等をより確実に抑制する点で、Ａｌ２Ｏ３純度は９９％以上であることが好ましい。カバーパネル２の材料としては他に、例えば、ダイヤモンド、ジルコニア、チタニア、水晶、タンタル酸リチウム、酸化窒化アルミニウムなどの結晶性材料が挙げられる。これらの材料も、傷がよりつき難く、割れや欠け等をより確実に抑制する点で、純度が約９０％以上の単結晶が好ましい。
【００１３】
カバーパネル２は、サファイアから成る層を含む複数層構造の複合パネル（以降、積層パネルと呼ぶことがある）であっても良い。例えば、カバーパネル２は、電子機器１の表面に設けられたサファイアから成る層（以降、サファイアパネルと呼ぶことがある）と、当該サファイアパネルに貼り付けられたガラスから成る層（以降、ガラスパネルと呼ぶことがある）とで構成された２層構造の複合パネルであっても良い。また、カバーパネル２は、電子機器１の表面に設けられた第１サファイアパネルと、当該第１サファイアパネルに貼り付けられたガラスパネルと、当該ガラスパネルに貼り付けられた第２サファイアパネルとで構成された３層構造の積層パネルであっても良い。また、カバーパネル２は、サファイア以外の結晶性材料、例えば、ダイヤモンド、ジルコニア、チタニア、水晶、タンタル酸リチウム、酸化窒化アルミニウムなどから成る層を含んでいても良い。
【００１４】
カバーパネル２には、後述する表示部１２の表示が透過する透明の表示領域（表示窓とも呼ばれる）２ａが設けられている。表示領域２ａは例えば平面視で長方形を成している。表示部１２から出力される可視光は、表示領域２ａを通って電子機器１の外部に取り出される。電子機器１のユーザは、当該電子機器１の外部から、表示領域２ａを通じて表示部１２に表示される情報を視認可能となっている。カバーパネル２における、表示領域２ａを取り囲む周縁部２ｂの大部分は、例えばフィルム等が貼られることによって黒色となっている。これにより、周縁部２ｂの大部分は、表示部１２の表示が透過しない非表示部分となっている。
【００１５】
カバーパネル２の裏面には、後述するタッチパネル１３が貼り付けられている。そして、表示部１２は、タッチパネル１３におけるカバーパネル２側の主面とは反対側の主面に貼り付けられている。つまり、表示部１２は、タッチパネル１３を介してカバーパネル２の裏面に取り付けられている。電子機器１のユーザは、カバーパネル２の表示領域２ａを指等で操作することによって、電子機器１に対して各種指示を与えることができる。
【００１６】
図１に示されるように、カバーパネル２の上側端部には、後述する前面側撮像部１８ａが有する撮像レンズが電子機器１の外部から視認できるための前面レンズ用透明部８ａが設けられている。また、カバーパネル２の上側端部には、レシーバ穴５があけられている。そして、カバーパネル２の下側端部にはマイク穴４があけられている。
【００１７】
図２に示されるように、ケース３の裏面３ａの上側端部には、後述する裏面側撮像部１８ｂが有する撮像レンズが電子機器１の外部から視認できるための裏面レンズ用透明部８ｂが設けられている。また、電子機器１の裏面３ａの下側端部には、スピーカ穴９があけられている。
【００１８】
＜電子機器の電気的構成＞
図３は、電子機器１の電気的構成の一例を示すブロック図である。図３に示されるように、電子機器１には、制御部１０、無線通信部１１、表示部１２、タッチパネル１３、マイク１４、レシーバ１５、位置情報取得部１６、計時部１７、前面側撮像部１８ａ、裏面側撮像部１８ｂ及び外部スピーカ１９が設けられている。電子機器１に設けられたこれらの構成要素のそれぞれは、ケース３内に収められている。
【００１９】
制御部１０は、一種のコンピュータであって、例えばＣＰＵ（Central Processing Unit）１０１、ＤＳＰ（Digital Signal Processor）１０２及び記憶部１０３等を備えている。制御部１０は、電子機器１の他の構成要素を制御することによって、電子機器１の動作を統括的に管理することが可能である。
【００２０】
記憶部１０３は、ＲＯＭ（Read Only Memory）及びＲＡＭ（Random Access Memory）等の、ＣＰＵ１０１及びＤＳＰ１０２が読み取り可能な非一時的な記録媒体で構成されている。記憶部１０３には、電子機器１を制御するためのメインプログラム及び複数のアプリケーションプログラム（以降、単にアプリケーションあるいはアプリと呼ぶことがある）等が記憶されている。また記憶部１０３には、表示部１２に表示される複数の画像が記憶されている。制御部１０の各種機能は、ＣＰＵ１０１及びＤＳＰ１０２が記憶部１０３内の各種プログラムを実行することによって実現される。
【００２１】
なお、記憶部１０３は、ＲＯＭ及びＲＡＭ以外の、コンピュータが読み取り可能な非一時的な記録媒体を備えていても良い。記憶部１０３は、例えば、小型のハードディスクドライブ及びＳＳＤ（Solid State Drive）等を備えていても良い。また、制御部１０の機能の一部または全部は、その機能の実現にソフトウェアが不要なハードウェアによって実現されても構わない。
【００２２】
無線通信部１１は、アンテナ１１ａを有している。無線通信部１１は、電子機器１とは別の携帯電話機からの信号、あるいはインターネットに接続されたウェブサーバ等の通信装置からの信号を、基地局を介してアンテナ１１ａで受信することが可能である。無線通信部１１は、アンテナ１１ａでの受信信号に対して増幅処理及びダウンコンバートを行って制御部１０に出力することが可能である。制御部１０は、入力される受信信号に対して復調処理等を行って、当該受信信号に含まれる情報を取得することが可能である。
【００２３】
また無線通信部１１は、制御部１０で生成された送信信号に対して、アップコンバート及び増幅処理を行って、当該処理後の送信信号をアンテナ１１ａから無線送信することが可能である。アンテナ１１ａからの送信信号は、基地局を通じて、電子機器１とは別の携帯電話機あるいはインターネットに接続された通信装置で受信される。
【００２４】
表示部１２は、例えば、液晶ディプレイあるいは有機ＥＬディスプレイによって構成される。表示部１２は、制御部１０に制御されることによって、文字、記号、図形あるいは画像などの各種情報を表示することが可能である。表示部１２が表示する情報は、カバーパネル２の表示領域２ａを通じて、電子機器１のユーザに視認可能となる。
【００２５】
タッチパネル１３は、カバーパネル２の表示領域２ａに対する指等の操作子による操作を検出することが可能である。タッチパネル１３は、例えば、投影型静電容量方式のタッチパネルである。ユーザが指等の操作子によってカバーパネル２の表示領域２ａに対して操作を行うと、それに応じた操作信号がタッチパネル１３から制御部１０に入力される。制御部１０は、タッチパネル１３からの操作信号に基づいて、表示領域２ａに対して行われた操作の内容を特定して、その内容に応じた処理を行うことが可能である。なお、ユーザは、指以外の操作子、例えば、スタイラスペンなどの静電式タッチパネル用ペンで表示領域２ａを操作することによっても、電子機器１に対して各種指示を与えることができる。
【００２６】
位置情報取得部１６は、電子機器１の現在位置を取得することが可能である。位置情報取得部１６は、例えば、ＧＰＳ(Global Positioning System)を利用した装置である。位置情報取得部１６は、ＧＰＳ衛星からのＧＰＳ信号を受信し、当該ＧＰＳ信号に基づいて電子機器１の現在位置を示す位置情報を求めることが可能である。位置情報には、例えば、緯度情報と経度情報とが含まれている。
【００２７】
計時部１７は、現在時刻を計時するとともに現在の日付を計時することが可能である。計時部１７は、例えばリアルタイムクロック（ＲＴＣ）等を備えている。計時部１７は、計時した時刻を示す時刻情報と、計時した日付を示す日付情報とを制御部１０に出力することが可能である。
【００２８】
前面側撮像部１８ａは、撮像レンズ及び撮像素子などで構成されている。前面側撮像部１８ａは、制御部１０による制御に基づいて、静止画像及び動画像を撮像することが可能である。前面側撮像部１８ａが有する撮像レンズは、電子機器１の前面に設けられた前面レンズ用透明部８ａから視認可能となっている。したがって、前面側撮像部１８ａは、電子機器１の前面側、つまりカバーパネル２側に存在する物体を撮像することが可能である。
【００２９】
裏面側撮像部１８ｂは、撮像レンズ及び撮像素子などで構成されている。裏面側撮像部１８ｂは、制御部１０による制御に基づいて、静止画像及び動画像を撮像することが可能である。裏面側撮像部１８ｂが有する撮像レンズは、ケース３の裏面３ａに設けられた裏面レンズ用透明部８ｂから視認可能となっている。したがって、裏面側撮像部１８ｂは、ケース３の裏面３ａ側に存在する物体を撮像することが可能である。以降、前面側撮像部１８ａ及び裏面側撮像部１８ｂのそれぞれを、単に撮像部１８と呼ぶことがある。
【００３０】
マイク１４は、電子機器１の外部から入力される音を電気的な音信号に変換して制御部１０に出力することが可能である。電子機器１の外部からの音は、例えば、カバーパネル２の前面に設けられたマイク穴４から電子機器１の内部に取り込まれてマイク１４に入力される。
【００３１】
外部スピーカ１９は、例えばタイミックスピーカである。外部スピーカ１９は、制御部１０からの電気的な音信号を音に変換して出力することが可能である。外部スピーカ１９から出力される音は、例えば、ケース３の裏面３ａに設けられたスピーカ穴９から外部に出力される。スピーカ穴９から出力される音については、電子機器１から離れた場所でも聞こえるような音量となっている。
【００３２】
レシーバ１５は、受話音を出力するものであって、例えばダイナミックスピーカで構成されている。レシーバ１５は、制御部１０からの電気的な音信号を音に変換して出力することが可能である。レシーバ１５から出力される音は、例えば、電子機器１の前面に設けられたレシーバ穴５から外部に出力される。レシーバ穴５から出力される音の音量は、例えば外部スピーカ１９からスピーカ穴９を介して出力される音の音量よりも小さくなっている。
【００３３】
なおレシーバ１５に代えて、圧電振動素子が設けられてもよい。圧電振動素子は、制御部１０によって制御され、音声信号に基づいて振動することが可能である。圧電振動素子は、例えばカバーパネル２の裏面に設けられており、音声信号に基づく自身の振動によってカバーパネル２を振動させることが可能である。そして、ユーザが自身の耳をカバーパネル２に近づけることにより、カバーパネル２の振動が音声としてユーザに伝達される。この場合、レシーバ穴５は不要である。
【００３４】
＜電子機器の動作＞
図４は、制御部１０に形成される機能ブロックの一例を示す図である。記憶部１０３には、ユーザが記憶部１０３内の複数の画像（静止画像及び動画像を含む）を閲覧したり、整理したりするための画像管理アプリが記憶されている。この画像管理アプリが、メインプログラムを実行する制御部１０で実行されることによって、図４に示されるように、制御部１０には、画像管理部１００が形成される。画像管理部１００は、重要度決定部１１０、連写画像特定部１２０、類似画像特定部１３０、表示サイズ決定部１４０及び配置決定部１５０を備えている。画像管理アプリの実行中では、表示部１２は、制御部１０による制御によって、複数の画像を並べて表示する一覧表示モードで動作することが可能である。また、画像管理アプリの実行中では、表示部１２は、一覧表示モードで表示する複数の画像のうち、ユーザによって選択された画像だけを拡大して表示する拡大表示モードで動作することが可能である。拡大表示モードでは、一覧表示モードよりも画像が大きく表示される。一覧表示モードは第１表示モードと呼ばれ、拡大表示モードは第２表示モードと呼ばれる。
【００３５】
図５は、電子機器１の動作の一例を示すフローチャートである。以下では、図５のフローチャートに沿って、電子機器１の動作について詳細に説明する。
【００３６】
まず、ステップＳ１において、制御部１０は記憶部１０３内の画像管理アプリを実行（起動）する。表示部１２は、例えば、電子機器１が各種アプリを実行する前の初期状態において、初期画面（以降、ホーム画面と呼ぶことがある）を表示している。また表示部１２は、ホーム画面において、アプリを実行するための図形（以降、アプリ実行用図形と呼ぶことがある）を表示する。アプリ実行用図形はアイコンと呼ばれる図形を含んでいてもよい。制御部１０は、表示部１２に表示される、画像管理アプリを実行するためのアプリ実行用図形に対するユーザの選択操作をタッチパネル１３が検出すると、記憶部１０３内の画像管理アプリを実行する。
【００３７】
表示部１２が表示するアプリ実行用図形に対する選択操作として、例えば、カバーパネル２の表示領域２ａに表示されるアプリ実行用図形に対して、ユーザが指等の操作子を近づけた後、当該操作子を遠ざける操作が考えられる。また、アプリ実行用図形に対する選択操作として、例えば、カバーパネル２の表示領域２ａに表示されるアプリ実行用図形に対して、ユーザが指等の操作子を接触させた後、当該操作子を遠ざける操作が考えられる。これらの操作は、いわゆるタップ操作と呼ばれる。なお、このタップ操作による選択操作は、アプリ実行用図形に対する選択操作以外にも、表示部１２が表示する画像に対する選択操作として使用される。以下ではタップ操作による選択操作についての繰り返しの説明を省略する。
【００３８】
ステップＳ１が実行されて画像管理アプリが実行されると、ステップＳ２〜Ｓ４において、表示部１２を一覧表示モードで動作させるための一連の処理が、画像管理部１００で実行される。具体的には、まずステップＳ２において、重要度決定部１１０は、表示部１２が表示する各画像に対してユーザにとっての重要度を決定する。次にステップＳ３において、表示サイズ決定部１４０は、重要度決定部１１０が決定した重要度に基づいて、一覧表示モードの表示部１２が表示する各画像の表示サイズを決定する。表示サイズ決定部１４０は、重要度が高い画像ほど表示サイズを大きくする。次にステップＳ４において、配置決定部１５０は、一覧表示モードの表示部１２が表示する、複数の画像が並べられる表示画面（以後、一覧表示画面と呼ぶことがある）においての各画像の配置を決定する。重要度決定部１１０、表示サイズ決定部１４０及び配置決定部１５０の動作については、後で詳細に説明する。
【００３９】
ステップＳ５において、表示部１２は、制御部１０による制御によって一覧表示モードで動作する。これにより、表示部１２は一覧表示画面を表示する。図６は一覧表示画面２０ａの一例を概略的に示す図である。図６に示される一覧表示画面２０ａには、画像２１ａ〜２１ｍが並べられて示されている。画像２１ａ〜２１ｍは、記憶部１０３に記憶されている。本実施の形態では、画像２１ａ〜２１ｍのそれぞれは、例えば、記憶部１０３内の原画像を縮小した画像であって、いわゆるサムネイル画像と呼ばれる。図６の例示では、複数の画像２１ａ〜２１ｍが、撮影日時が早いもの順に、左上からラスタ方向に沿って配置されている。したがって、複数の画像２１ａ〜２１ｍのうち画像２１ａの撮影日時が最も早くなっている。なお、画像の配置順はこの限りではない。
【００４０】
表示部１２は、一覧表示画面２０ａにおいて、複数の表示サイズによって複数の画像を表示する。図６の例示では、表示部１２は、第１〜第３表示サイズの３つの表示サイズで画像２１ａ〜２１ｍを表示している。具体的には、画像２１ｂ，２１ｄ〜２１ｊ，２１ｌ，２１ｍは第１表示サイズで表示されている。画像２１ａ及び２１ｃは第２表示サイズで表示されている。画像２１ｋは第３表示サイズで表示されている。第１〜第３表示サイズは、その順で表示サイズが大きくなっている。また、表示部１２は、図６に示されるように、表示サイズが一定ではない複数の画像をできるだけ隙間なく一覧表示画面２０ａに配置して表示する。一覧表示画面２０ａでの画像の表示サイズ及び画像の配置方法については、後で詳細を説明する。
【００４１】
なお、一覧表示画面２０ａに表示される画像が多い場合には、表示領域２ａには一覧表示画面２０ａの一部が表示される。この場合、ユーザは、一覧表示画面２０ａをスクロールすることによって、表示領域２ａに表示されていなかった画像を当該表示領域２ａに表示させることが可能である。
【００４２】
画像管理アプリの実行中に、制御部１０は、タッチパネル１３が、画像管理アプリを終了するためのアプリ終了操作を検出すると、画像管理アプリの実行を終了する。画像管理アプリの実行が終了すると、表示部１２には、例えば、ホーム画面が表示される。アプリ終了操作としては、例えば、表示部１２が表示する、画像管理アプリを終了するための操作ボタンに対するユーザの選択操作が考えられる。なお、アプリ終了操作は、タッチパネル１３に対するタッチ操作に限られず、例えば、ケース３に設けられたハードボタンに対する押下等であってもよい。この内容は、後述する他の操作についても適用されるので、以下では繰り返しの説明を省略する。
【００４３】
画像管理アプリの実行中に、表示部１２が表示する一覧表示画面２０ａに示される複数の画像から１つの画像がユーザによって選択操作されたとき、表示部１２の動作は一覧表示モードから拡大表示モードに変化する。拡大表示モードでは、選択操作された画像が拡大されて表示される。
【００４４】
図７は、ユーザによって選択操作された画像が拡大表示される様子の一例を概略的に示す図である。図７の例示では、一覧表示画面２０ａに示される画像２１ｂが選択されて、当該画像２１ｂの拡大画像２１ｂｂが表示領域２ａに表示されている。
【００４５】
このように、ユーザは、一覧表示画面２０ａ中の画像を選択することによって、当該画像を拡大して表示部１２に表示させることができる。
【００４６】
表示部１２が拡大表示モードであるときに、タッチパネル１３が、表示部１２を一覧表示モードに戻すための所定の操作を検出した場合、表示部１２の動作モードは、拡大表示モードから一覧表示モードに変化する。これにより、表示部１２には一覧表示画面２０ａが再度表示される。
【００４７】
一覧表示モードで動作する表示部１２は、連写画像特定部１２０によって特定された、一の連写によって撮像された複数の連写画像を表示するとき、当該複数の連写画像が重ねられた第１画像（以後、第１重畳画像と呼ぶことがある）を表示する。図６の例示では、表示部１２は、４つの連写画像２１ａａ〜２１ａｄが重ねられた第１重畳画像２１ａを表示している。４つの連写画像２１ａａ〜２１ａｄのうち、最も上の連写画像よりも後ろの各連写画像は、右側端部及び下側端部だけが表示されている。
【００４８】
このように、一の連写によって撮像された複数の連写画像が重ねられた第１重畳画像を表示することによって、ユーザは、表示部１２が一覧表示モードにおいて表示する画像が連写画像であるか否かを特定しやすくなる。さらに、一覧表示画面２０ａにおいて一の連写によって撮像された複数の連写画像が表示される範囲が小さくなることから、ユーザは、連写画像群以外の画像を探しやすくなる。連写画像特定部１２０の動作及び第１重畳画像については、後で詳細に説明する。
【００４９】
また、一覧表示モードの表示部１２は、第１重畳画像２１ａに含まれる４つの連写画像２１ａａ〜２１ａｄにおいて、最も上に位置する連写画像を順次切り替えながら当該第１重畳画像２１ａを表示する。図８は、第１重畳画像２１ａに含まれる４つの連写画像２１ａａ〜２１ａｄにおいて、最も上に位置する連写画像が順次切り替わる様子を示す図である。図８の例示では、最も上に位置する画像が順次切り替わる様子を左から順に時系列に並べて示している。まず、表示部１２は、図８に示される左から１番目の第１重畳画像２１ａを表示する。当該第１重畳画像２１ａにおいて、４つの連写画像２１ａａ〜２１ａｄのうち連写画像２１ａａが最も上に位置している。また、連写画像２１ａａ〜２１ａｄは、例えば上から順に撮影日時が古い順に並べられて表示されている。
【００５０】
次に表示部１２は、図８に示される左から２番目の第１重畳画像２１ａを表示する。当該第１重畳画像２１ａにおいて、連写画像２１ａｂが最も上に位置しており、連写画像２１ａａは最も下に位置している。次に表示部１２は、図８に示される左から３番目の第１重畳画像２１ａを表示する。当該第１重畳画像２１ａにおいて、連写画像２１ａｃが最も上に位置しており、連写画像２１ａｂが最も下に位置する。次に表示部１２は、図８に示される左から４番目の第１重畳画像２１ａを表示する。当該第１重畳画像２１ａにおいて、連写画像２１ａｄが最も上に位置しており、連写画像２１ａｃが最も下に位置する。次に表示部１２は、図８に示される左から１番目の第１重畳画像２１ａを再度表示する。以後、第１重畳画像２１ａは同様に表示される。このような最も上に位置する画像の切り替えは、例えば所定時間ごとに実行される。
【００５１】
このように、表示部１２は、第１重畳画像２１ａに含まれる一の連写によって撮影された複数の連写画像において、最も上に位置する連写画像を順次切り替えながら第１重畳画像２１ａを表示する。これにより、ユーザは、各連写画像がどのような画像であるか容易に特定することができる。
【００５２】
また、一覧表示モードで動作する表示部１２は、類似画像特定部１３０によって特定された、撮影日時が互いに近く、かつ互いに類似している複数の類似画像を表示するとき、当該複数の類似画像が重ねられた第２画像（以後、第２重畳画像と呼ぶことある）を表示する。第２重畳画像は第１重畳画像と同様に表示される。これにより、ユーザは、表示部１２が一覧表示モードにおいて表示する画像が類似画像であるか否かを特定しやすくなる。さらに、一覧表示画面２０ａにおいて一群の複数の類似画像が表示される範囲が小さくなることから、ユーザは、類似画像群以外の画像を探しやすくなる。なお、類似画像特定部１３０の動作及び第２重畳画像については、後で詳細に説明する。
【００５３】
また、一覧表示モードで動作する表示部１２は、第１重畳画像と同様に、第２重畳画像に含まれる複数の類似画像においても、最も上に位置する画像を順次切り替えながら第２重畳画像を表示する。これにより、ユーザは、各類似画像がどのような画像であるか容易に特定することができる。なお、本実施形態では、表示部１２は、最も上に位置する画像を順次切り替えながら第１重畳画像および第２重畳画像を表示するとしているが、これに限らず、第１重畳画像および第２重畳画像の少なくとも一方の最も上に位置する画像を切り替えずに表示してもよい。
【００５４】
さらに、一覧表示モードで動作する表示部１２は、動画像を表示するとき、当該動画像を再生しながら表示する。図６の例示では、画像２１ｃ及び画像２１ｇは動画像である。画像２１ｃ及び画像２１ｂのそれぞれは、動画再生制御ボタン２２を含んでいる。ユーザは、動画再生制御ボタン２２を操作することによって、電子機器１に、動画像を再生させたり、動画像の再生を停止させたりすることができる。一覧表示画面２０ａに示される動画像に動画再生制御ボタン２２が示されることにより、ユーザは、表示部１２が一覧表示モードにおいて表示する画像が動画像であるか否かを特定しやすくなる。また、一覧表示画面２０ａでは、動画像が再生されて表示されることから、ユーザは当該動画像の内容を容易に特定することができる。なお、一覧表示モードで動作する表示部１２は、動画像に動画再生制御ボタン２２を示すのではなく、動画像を表示するときに、ユーザからの指示なく自動的に当該動画像を再生してもよい。また、図６の画像２１ｃに示されるように、動画像は、動画の再生箇所を示すシークバー２２ａを含んでいてもよい。さらに、ユーザが、シークバー２２ａが有するスライダ２２ｂの位置を操作することによって、動画の再生箇所を変更できるようにしてもよい。
【００５５】
＜重要度決定部＞
重要度決定部１１０は、表示部１２が表示する画像に対してユーザにとっての重要度を決定する。重要度は、複数の評価値に基づいて決定される。重要度は、例えば、複数の評価値を合計して得られる合計値に基づいて決定される。本実施の形態では、重要度決定部１１０は、第１〜第４評価値に基づいて画像の重要度を決定する。つまり、重要度決定部１１０は、画像の第１〜第４評価値の合計値を、当該画像の重要度とする。第１〜第４評価値のそれぞれは、重要度決定部１１０が所定の判定基準に基づいて画像の重要度を評価した結果を示している。以下、第１〜第４評価値のそれぞれについて詳細に説明する。
【００５６】
＜第１評価値＞
第１評価値は、拡大表示モードの表示部１２によって拡大表示された回数（以後、拡大表示回数と呼ぶことがある）が多い画像ほど、重要度が高いと評価される値である。拡大表示回数が多い画像は、例えば、ユーザが気に入っていて何度も見ているような画像であるため、ユーザとっての重要度が高い画像といえる。
【００５７】
図９は、重要度決定部１１０が第１評価値を決定する動作の一例を示すフローチャートである。まずステップＳ１１において、表示部１２は、一覧表示画面２０ａから選択された選択画像を、拡大表示モードにおいて拡大表示する。
【００５８】
次にステップＳ１２において、重要度決定部１１０は、ステップＳ１１において拡大表示された選択画像についての拡大表示回数を更新する。ここで、重要度決定部１１０は、表示部１２が表示する画像と関連付けて、当該画像の拡大表示回数を記憶部１０３に記録している。そして、重要度決定部１１０は、ステップＳ１１において選択画像が拡大表示されると、ステップＳ１２において、当該選択画像に対応する拡大表示回数を１つ増加させる。これにより、選択画像についての拡大表示回数が更新される。
【００５９】
次にステップＳ１３において、重要度決定部１１０は、画像の第１評価値を決定する。第１評価値は、例えば０〜３点から決定される。重要度決定部１１０は、拡大表示回数が多い画像ほど、その第１評価値を高くする。例えば、重要度決定部１１０は、拡大表示回数が０回、１〜１０回、１１〜２０回及び２１回以上の画像の第１評価値を、それぞれ、０点、１点、２点及び３点とする。第１評価値が大きいほど重要度が高くなることから、表示部１２は、拡大表示回数が多い画像ほど、一覧表示画面２０ａにおいて大きく表示する。よって、ユーザは、拡大表示回数が多い画像、つまりユーザにとって重要度が高い画像が探しやすくなる。
【００６０】
なお、重要度決定部１１０は、拡大表示回数が多い画像ほど、その第１評価値を高くしているが、これまでに拡大表示された合計時間（累積時間）が長い画像ほど、その第１評価値を高くしてもよい。この場合、重要度決定部１１０は、画像と関連付けて、当該画像がいままでに拡大表示された合計時間（累積時間）を記憶部１０３に記録する。そして、重要度決定部１１０は、選択画像が拡大表示されるとき、計時部１７が取得する時刻情報に基づいて、当該選択画像の拡大表示開始から拡大表示終了までの表示時間を計測する、そして、重要度決定部１１０は、計測した表示時間を、拡大表示した選択画像に対応する合計時間に足し合わせる。これにより、選択画像が拡大表示された合計時間が更新される。重要度決定部１１０は、更新後の合計時間に基づいて、選択対象画像の第１評価値を決定する。このとき、重要度決定部１１０は、合計時間が長い画像ほど、その第１評価値を高くする。これにより、表示部１２は、拡大表示された合計時間が長い画像ほど、一覧表示画面２０ａにおいて大きく表示する。よって、ユーザは、拡大表示の合計時間が長い画像を探しやすくなる。拡大表示の合計時間が長いような画像とは、例えば、ユーザが気に入っていて何度も繰り返して見るような画像、あるいは、一回の拡大表示で長時間見るような画像であるため、ユーザにとっての重要度が高い画像といえる。よって、ユーザは重要度が高い画像を探しやすくなる。
【００６１】
＜第２評価値＞
第２評価値は、ユーザが電子機器１に入力する評価値が高い画像ほど、重要度が高いと評価される値である。第２評価値はユーザ自身によって評価されるものであることから、当該第２評価値が高い画像は、ユーザにとって重要度が高い画像といえる。
【００６２】
図１０は、重要度決定部１１０が第２評価値を決定する動作の一例を示すフローチャートである。まず、ステップＳ２１において、タッチパネル１３は、ユーザによる第２評価値入力操作を検出する。例えば、一覧表示モードの表示部１２は、一覧表示画面２０ａに示される画像に対して、ユーザが第２評価値を入力する対象の対象画像を指定するための所定の操作を行ったことをタッチパネル１３が検出したとき、当該対象画像についての第２評価値を入力するための入力画面を表示する。ユーザは、入力画面を利用して、対象画像の第２評価値を入力する。例えば、ユーザは、入力画面において、星の数を入力することによって、対象画像の第２評価値を入力することができる。ユーザは、入力画面に対して、０個〜３個の間で星の数を入力する操作、つまり第２評価値入力操作を行う。
【００６３】
次に、ステップＳ２２において、重要度決定部１１０は、画像の第２評価値を決定する。第２評価値は、例えば０〜３点から決定される。重要度決定部１１０は、例えば、ステップＳ２１で入力された星の数が、０個、１個、２個及び３個の画像の第２評価値を、それぞれ、０点、１点、２点及び３点とする。第２評価値が大きいほど重要度が高くなる。したがって、表示部１２は、ユーザの評価が高い画像ほど、一覧表示画面２０ａにおいて大きく表示する。よって、ユーザは、自身の評価が高い画像、つまり自身にとって重要度が高い画像を探しやすくなる。
【００６４】
なお、ユーザは画像の新たな第２評価値を入力することによって、当該画像の第２評価値を変更することができる。ユーザによる第２評価値の入力方法は上記の例に限られない。
【００６５】
＜第３評価値＞
第３評価値は、評価対象画像が第１重畳画像及び第２重畳画像のどちらかであれば、その評価対象画像の重要度が高いと評価される値である。第３評価値は、評価対象画像が第１重畳画像及び第２重畳画像のどちらか一方であれば大きい値を示す。さらに、第３評価値は、その評価対象画像が第１重畳画像である場合には、当該第１重畳画像に含まれる連写画像の数が多いほど、重要度が高いと評価される値である。また、第３評価値は、その評価対象画像が第２重畳画像である場合には、当該第２重畳画像に含まれる類似画像の数が多いほど、重要度が高いと評価される値である。
【００６６】
連写撮影された画像は、例えば、ユーザが決定的瞬間を狙った画像あるいは被写体の一連の動きを記録しておきたい画像である可能性があることから、ユーザにとって重要度の高い画像といえる。また、類似画像は、例えば、ユーザが構図を変えるなどして何度も撮り直している画像である可能性があることから、ユーザにとって重要度の高い画像といえる。また、これらの一群の画像の数が多い場合には、ユーザにとってより重要度が高いものといえる。
【００６７】
重要度決定部１１０が第３評価値を決定する動作を説明する前に、以下では、連写画像特定部１２０及び類似画像特定部１３０並びに第１重畳画像及び第２重畳画像について詳細に説明する。
【００６８】
連写画像特定部１２０は、記憶部１０３内の複数の画像から、撮像部１８の連写機能によって撮像された一群の複数の画像を連写画像群として特定する。さらに、連写画像特定部１２０は、記憶部１０３内の複数の画像から、第１所定期間内に連続して撮影された一群の複数の画像を連写画像群として特定する。この場合、連写画像特定部１２０は、画像に埋め込まれたメタ情報（画像に付随するメタ情報）に含まれる撮影日時情報に基づいて連写画像群を特定してもよい。撮像部１８が撮像する画像には、例えば、電子機器１の機種名、当該画像の撮影日付及び撮影時刻を示す撮影日時情報、および当該画像が撮像された際の電子機器１の位置を示す撮影位置情報などがメタ情報として埋め込まれる。このような情報は、例えばＥｘｉｆ（Exchangeable image file format）規格に準拠している。撮影日時情報は計時部１７で取得され、撮影位置情報は位置情報取得部１６で取得される。連写画像群の特定は、例えば、撮像部１８で撮像された画像が記憶部１０３に記憶されたときに実行される。
【００６９】
画像管理部１００は、連写画像特定部１２０が特定した連写画像群を構成する複数の画像が重ねられた第１重畳画像を生成して記憶部１０３内に記憶する。
【００７０】
類似画像特定部１３０は、記憶部１０３内の複数の画像から、画像に埋め込まれたメタ情報が含む撮影日時情報に基づいて、第２所定期間内に撮影された複数の画像から成る画像群を特定する。これにより、記憶部１０３内の複数の画像から、撮影日時が互いに近い複数の画像から成る画像群が特定される。このとき、複数の画像群が特定されることがある。第２所定期間は、上記の第１所定期間よりも大きい値に設定される。次に、類似画像特定部１３０は、特定した画像群を構成する複数の画像が互いに類似しているか否かを判定する。当該判定には、例えばパターンマッチングなどの周知の画像処理の手法が採用される。類似画像特定部１３０は、当該判定で互いに類似していると判定された複数の画像から成る画像群を類似画像群とする。これにより、記憶部１０３内の複数の画像から、撮影日時が互いに近く、かつ互いに類似している複数の類似画像から成る類似画像群が特定される。このような類似画像群の特定は、例えば、撮像部１８で撮像された画像が記憶部１０３に記憶されたときに実行される。
【００７１】
画像管理部１００は、類似画像特定部１３０が特定した、撮影日時が互いに近く、かつ互いに類似する複数の類似画像が重ねられた第２重畳画像を生成して記憶部１０３内に記憶する。
【００７２】
なお、類似画像特定部１３０が類似画像と特定する基準はこれに限られない。例えば、撮影日が異なる場合であっても、撮影時刻が互いに近く、かつ撮影場所が互いに近い画像は、類似画像と特定されてもよい。この場合、ユーザが毎日同じ時刻に同じ場所で撮影を行う場合、それらの画像が重ねられた重畳画像を表示部１２に表示させることができる。
【００７３】
次に重要度決定部１１０が第３評価値を決定する動作について詳細に説明する。
【００７４】
重要度決定部１１０は、評価対象画像が、第１重畳画像及び第２重畳画像ではない場合には、その第３評価値を０点とし、評価対象画像が、第１重畳画像及び第２重畳画像のどちらかである場合には、その第３評価値を１点以上とする。第３評価値が大きいほど重要度が大きくなることから、表示部１２は、第１重畳画像及び第２重畳画像を一覧表示画面２０ａにおいて大きく表示する。したがって、ユーザは、重要度の高い第１重畳画像及び第２重畳画像を探しやすくなる。
【００７５】
また、重要度決定部１１０は、第１重畳画像が生成されると、当該第１重畳画像の第３評価値を決定する。当該第３評価値は、例えば１〜３点から決定される。重要度決定部１１０は、第１重畳画像に含まれる連写画像の数が多いほど、その第３評価値を高くする。例えば、重要度決定部１１０は、２〜１０枚、１１〜２０枚及び２１枚以上の連写画像を含む第１重畳画像の第３評価値を、それぞれ、１点、２点及び３点とする。第３評価値が大きいほど重要度が大きくなることから、表示部１２は、第１重畳画像に含まれる連写画像が多いほど、当該第１重畳画像を一覧表示画面２０ａにおいて大きく表示する。そのため、ユーザは、連写画像の枚数が多い第１重畳画像を探しやすくなる。
【００７６】
また重要度決定部１１０は、第２重畳画像が生成されると、当該第２重畳画像の第３評価値を決定する。当該第３評価値は、例えば１〜３点から決定される。重要度決定部１１０は、第２重畳画像に含まれる類似画像の数が多いほど、その第３評価値を高くする。例えば、重要度決定部１１０は、２〜１０枚、１１〜２０枚及び２１枚以上の類似画像を含む第２重畳画像の第３評価値を、それぞれ、１点、２点及び３点とする。表示部１２は、第２重畳画像に含まれる類似画像が多いほど、当該第２重畳画像を一覧表示画面２０ａにおいて大きく表示する。そのため、ユーザは、類似画像の枚数が多い第２重畳画像を探しやすくなる。
【００７７】
＜第４評価値＞
第４評価値は、電子機器１以外の機器によって撮影された撮影画像（以後、他機器撮影画像と呼ぶことがある）であるか否かに基づいて、重要度が評価される値である。
【００７８】
他機器撮影画像は、例えば、電子機器１のユーザ以外の人が所有する機器によって撮影された画像である。電子機器１は、例えば、メールなどの通信手段によって他機器撮影画像を取得する。また、電子機器１は、他機器撮影画像が保存された機器と接続することが可能であり、当該機器から他機器撮影画像を取得する。電子機器１が自ら撮影した画像よりも、他機器撮影画像は、電子機器１のユーザにとって重要度が高い画像といえる。
【００７９】
図１１は、重要度決定部１１０が第４評価値を決定する動作の一例を示すフローチャートである。まずステップＳ４１において、重要度決定部１１０に評価対象画像が入力される。電子機器１が、メールなどによって外部の機器から画像を取得すると、その画像が評価対象画像として重要度決定部１１０に入力される。次にステップＳ４２において、重要度決定部１１０は、評価対象画像が他機器撮影画像であるか否かを判定する。重要度決定部１１０は、評価対象画像に埋め込まれたメタ情報が含む撮影機種情報に基づいて、評価対象画像が他機器撮影であるか否かを判定することができる。
【００８０】
ステップＳ４２において否定的な判定がなされると、ステップＳ４３が実行される。ステップＳ４３において、重要度決定部１１０は、評価対象画像の第４評価値を決定する。
【００８１】
重要度決定部１１０は、電子機器１で撮影された画像と比較して、他機器撮影画像の重要度を高くする。第４評価値は、例えば０〜３点から決定される。ステップＳ４３において、重要度決定部１１０は、他機器撮影画像ではない評価対象画像の第４評価値を０点とする。一方、ステップＳ４２において他機器撮影画像と判定された評価対象画像の第４評価値は、以降のステップＳ４４〜Ｓ４８の処理によって１〜３点のいずれか一つになる。第４評価値が大きいほど重要度が高くなることから、表示部１２は、一覧表示画面２０ａにおいて、他機器撮影画像をそれ以外の画像より大きく表示する。したがって、ユーザは、ユーザにとって重要度が高い他機器撮影画像が探しやすくなる。
【００８２】
ステップＳ４２において肯定的な判定がなされると、ステップＳ４４が実行される。ステップＳ４４において、重要度決定部１１０は、評価対象画像の撮影日時の近くで、電子機器１が当該評価対象画像の撮影場所で撮影した撮影画像（以後、特定関連画像と呼ぶことがある）が、記憶部１０３内の、表示部１２が表示する複数の画像において存在するか否かを判定する。重要度決定部１１０は、表示部１２が表示する複数の画像に埋め込まれたメタ情報が含む撮影機種情報、撮影日時情報及び撮影位置情報と、評価対象画像に埋め込まれたメタ情報が含む撮影機種情報、撮影日時情報及び撮影位置情報とを比較することによって、特定関連画像が存在するか否かを判定することができる。重要度決定部１１０は、評価対象画像の撮影日時を含む所定期間内に撮影された画像を、評価対象画像の撮影日時の近くで撮影された画像であるとする。
【００８３】
ステップＳ４４において肯定的な判定がなされると、ステップＳ４５が実行される。ステップＳ４５において、重要度決定部１１０は、評価対象画像の第４評価値を決定する。ステップＳ４５において、重要度決定部１１０は、特定関連画像が存在すると判定された評価対象画像の第４評価値を低くする。ステップＳ４４において肯定的な判定がなされた他機器撮影画像は、当該他機器撮影画像が撮影されたときにユーザもその撮影場所に居て電子機器１で撮影を行っていたことから、ユーザにとっての重要度が低い画像といえる。ステップＳ４５では、重要度決定部１１０は、例えば、当価対象画像の第４評価値を１点にする。
【００８４】
一方、ステップＳ４４において否定的な判定がなされると、ステップＳ４６が実行される。ステップＳ４６において、重要度決定部１１０は、他機器撮影画像（評価対象画像）が撮影されたときに、ユーザが当該他機器撮影画像の撮影場所に居たか否かを判定する。換言すれば、重要度決定部１１０は、他機器撮影画像が撮影されたときに、電子機器１が当該他機器撮影画像の撮影場所に存在したか否かを判定する。本実施の形態では、電子機器１は、計時部１７が取得する現在の日付情報及び時刻情報、並びに位置情報取得部１６が取得する電子機器１の位置情報を所定時間ごとに記憶部１０３に記憶している。これにより、電子機器１は、自身が何時、何処に存在していたのかを知ることができる。重要度決定部１１０は、ステップＳ４６において、所定時間ごとに取得された、日付情報、時刻情報及び電子機器１の位置情報と、他機器撮影画像（評価対象画像）の撮影日時情報及び撮影位置情報とを比較することによって、他機器撮影画像が撮影されたときに、電子機器１が当該他機器撮影画像の撮影場所に存在したか否かを判定する。
【００８５】
ステップＳ４６において否定的な判定がなされると、ステップＳ４７が実行される。ステップＳ４７において、重要度決定部１１０は、評価対象画像の第４評価値を決定する。一方、ステップＳ４６において肯定的な判定がなされると、ステップＳ４８が実行される。ステップＳ４８において、重要度決定部１１０は、評価対象画像の第４評価値を決定する。
【００８６】
ステップＳ４６において肯定的な判定がなされた他機器撮影画像（評価対象画像）は、当該他機器撮影画像が撮影されたときにユーザがその撮影場所に居たにも関わらず、ユーザは電子機器１によって撮影していなかったことから、ユーザにとってより重要度が高い画像といえる。このため、ステップＳ４８において、重要度決定部１１０は、評価対象画像の第４評価値を３点にする。また、ステップＳ４７において、重要度決定部１１０は、評価対象画像の第４評価値を２点にする。
【００８７】
以上のようにして、重要度決定部１１０は、一覧表示モードの表示部１２が表示する各画像の第１〜第４評価値を決定する。そして、重要度決定部１１０は、一覧表示モードの表示部１２が表示する各画像について、当該画像の第１〜第４評価値の合計値を当該画像の重要度とする。重要度決定部１１０が決定する画像の重要度は、０点〜１２点のいずれか一つとなる。
【００８８】
なお、各評価値を決定するときの判定基準及び点数については、この限りではない。例えば、顔認識技術を利用することにより、自分の子供等の特定の人物が画像に含まれている場合に、その画像の重要度が高いと評価されてもよい。また、動画像は重要度が高いと評価されてもよく、動画の再生（ユーザによる視聴）が完了していない、すなわちスライダ２２ｂがシークバー２２ａの始点と終点との間に位置している場合に、重要度が高いと評価されてもよい。
【００８９】
＜表示サイズ決定部＞
表示サイズ決定部１４０は、重要度決定部１１０が決定した画像の重要度に基づいて、一覧表示画面２０ａにおける当該画像の表示サイズを決定する。また、表示サイズ決定部１４０は、重要度が高い画像ほど画像の表示サイズを大きくする。本実施の形態では、一覧表示モードの表示部１２が表示する各画像の表示サイズは、当該画像の重要度に基づいて５つの表示サイズに分類される。例えば、表示部１２は、重要度が０〜２点の画像を第１表示サイズで表示し、３点および４点の画像を第２表示サイズで表示し、５点および６点の画像を第３表示サイズで表示し、７点および８点の画像を第４表示サイズで表示し、９点以上の画像を第５表示サイズで表示する。
【００９０】
第１サイズの画像の形状は例えば正方形である。第１サイズの縦×横の大きさを１×１の大きさと定義すると、第２、第４および第５表示サイズの画像の縦×横の大きさは、それぞれ、２×２、３×３及び４×４の大きさとなる。また、第３表示サイズは、画像の縦横比に合わせて、２×３または３×２の大きさとなる。
【００９１】
図６の例示では、画像２１ｂ，２１ｄ〜２１ｊ，２１ｌ，２１ｍは第１表示サイズ（１×１の大きさ）で表示されている。画像２１ａ及び２１ｃは第２表示サイズ（２×２の大きさ）で表示されている。画像２１ｋは、横に長い第３表示サイズ（２×３の大きさ）で表示されている。
【００９２】
図１２及び図１３は、一覧表示画面２０ａの一例を概略的に示す図である。図１２の例示では、第１表示サイズ（１×１の大きさ）の画像２１ｄ，２１ｆ，２１ｊと、第４表示サイズ（３×３の大きさ）の画像２３と、縦に長い第３表示サイズ（３×２の大きさ）の画像２４とが表示されている。また、図１３の例示では、第１表示サイズ（１×１の大きさ）の画像２１ｆと、第５表示サイズ（４×４の大きさ）の画像２５が表示されている。
【００９３】
なお、図６の例示では、表示対象の画像の数が多いため、表示領域２ａの全領域に画像が表示されているが、表示対象の画像の数が少ない場合には、図１２，１３に示されるように、表示領域２ａの一部に画像が表示されることがある。
【００９４】
＜配置決定部＞
配置決定部１５０は、一覧表示画面２０ａにおける複数の画像の配置を決定する。配置決定部１５０は、一覧表示画面２０ａにおいて、複数の画像ができるだけ隙間なく配置されるように、当該複数の画像の配置を決定する。
【００９５】
図１４は、配置決定部１５０の構成の一例を示す図である。配置決定部１５０は、空きブロック特定部１５１、配置判定部１５２及び画像配置部１５３を備えている。
【００９６】
図１５は、配置決定部１５０の動作の一例を示すフローチャートである。図１６〜図２０は、配置決定部１５０の動作を説明するための図である。以下では、図１５に示されるフローチャートに沿って、図１６〜図２０を参照しながら配置決定部１５０の動作について詳細に説明する。以下の説明では、図６のように複数の画像を一覧表示画面２０ａに配置する場合を例に説明する。
【００９７】
まず、ステップＳ５１において、配置決定部１５０は、記憶部１０３内の複数の画像から、配置対象画像を決定する。ここでは、まず、画像２１ａが配置対象画像として決定される。配置決定部１５０は、一覧表示画面２０ａに示される複数の画像を、例えば、撮像日時が早いもの順に配置対象画像とする。
【００９８】
次に、ステップＳ５２〜Ｓ５４において、配置決定部１５０は、一覧表示画面２０ａに配置対象画像を配置する処理を実行する。
【００９９】
図１６に示されるように、一覧表示画面２０ａは、配置決定部１５０が画像を配置するときに基準とする行列状の複数のブロックに区分されている。図１６の例示では、説明のために各ブロックの境界を二点鎖線で示している。図１６の例示では、６行×４列のブロックが示されている。各ブロックの大きさは、例えば、第１表示サイズと等しい。各ブロックの右下隅に記載されている数字は、ブロックの位置を説明するための数字である。各ブロックには、左上からラスタ方向に沿った順に数字が記載されている。図１６〜２０において「１」〜「２４」が記載されたブロックを、それぞれ、ブロックＢ１〜Ｂ２４と呼ぶ。
【０１００】
ステップＳ５２において、空きブロック特定部１５１は、一覧表示画面２０ａにおいて、複数のブロックを左上からラスタ方向に沿って順に見たときに最初に現れる、画像が配置されていない空きブロックを特定する。ステップＳ５２における処理を第１処理と呼ぶことがある。図１６の例示では、一覧表示画面２０ａには画像がまだ配置されていないため、空きブロック特定部１５１は、ブロックＢ１を空きブロックと特定する。
【０１０１】
ステップＳ５３において、配置判定部１５２は、ステップＳ５２において特定された空きブロックに配置対象画像が配置可能か否かを判定する。ステップＳ５３における処理を第２処理と呼ぶことがある。第２処理において配置判定部１５２は、空きブロックの左上隅と配置対象画像の左上隅とが一致するように、当該配置対象画像が配置可能か否かを判定する。ステップＳ５３において肯定的な判定がなされると、ステップＳ５４が実行される。ステップＳ５４において、画像配置部１５３は、ステップＳ５２において特定された空きブロックの左上隅と配置対象画像の左上隅とが一致するように当該配置対象画像を配置する。ステップＳ５４における処理を第３処理と呼ぶことがある。
【０１０２】
本説明の例では、ステップＳ５３において、配置判定部１５２は、ブロックＢ１に画像２１ａが配置可能か否かを判定する。画像２１ａは第２表示サイズ（２×２の大きさ）であるため、２×２のブロックが空いているか否かを判定する。ブロックＢ１の左上隅と画像２１ａの左上隅とが一致するように当該画像２１ａを配置する場合、配置判定部１５２は、ブロックＢ１，Ｂ２，Ｂ５及びＢ６が空いているか否かを判定する。図１６の例示では、これらのブロックにはまだ画像が配置されていないため、配置判定部１５２は、画像２１ａが配置可能と判定する。そして、図１７に示されるように、画像配置部１５３は、ブロックＢ１，Ｂ２，Ｂ５及びＢ６に画像２１ａを配置する。
【０１０３】
次に、ステップＳ５５において、配置決定部１５０は、一覧表示画面２０ａに示される全ての画像を配置したか否かを判定する。ステップＳ５５において肯定的な判定がなされると、ステップＳ５６が実行される。ステップＳ５６において、配置決定部１５０は、画像の配置処理を終了する。一方、ステップＳ５５において否定的な判定がなされると、ステップＳ５１が再度実行される。つまり、一覧表示画面２０ａに示される全ての画像を配置するまで、ステップＳ５２〜Ｓ５５が繰り返し実行される。
【０１０４】
本説明の例では、２回目に実行されるステップＳ５１において、画像２１ｂが配置対象画像として決定される。画像２１ｂは第１表示サイズ（１×１の大きさ）である。そしてステップＳ５２〜Ｓ５５において、配置決定部１５０は、画像２１ｂの配置を決定するための処理を実行する。図１７に示されるように、画像２１ａが配置された状態において、空きブロック特定部１５１は、ブロックＢ３を空きブロックと特定する。そして、図１８に示されるように、画像配置部１５３は、ブロックＢ３に画像２１ｂを配置する。
【０１０５】
３回目に実行されるステップＳ５１において、画像２１ｃが配置対象画像として決定される。画像２１ｃは第２表示サイズ（２×２の大きさ）である。そしてステップＳ５２〜Ｓ５５において、配置決定部１５０は、画像２１ｃの配置を決定するための処理を実行する。
【０１０６】
図１８に示されるように画像２１ａ及び２１ｂが配置された状態において、空きブロック特定部１５１は、ブロックＢ４を空きブロックと特定する。そして、配置判定部１５２は、ブロックＢ４の左上隅と画像２１ｃの左上隅とが位置するように当該画像２１ｃが配置可能か否かを判定する。このように画像２１ｃを配置するためには、２×２のブロックが空いている必要がある。図１８の例示では、ブロックＢ４を左上として２×２のブロックが空いていないため、配置判定部１５２は、ステップＳ５３において画像２１ｃが配置できないと判定する。
【０１０７】
ステップＳ５３において否定的な判定がなされると、再度ステップＳ５２が実行される。同一の配置対象画像に対する２回目以降のステップＳ５２において、空きブロック特定部１５１は、今まで特定した空きブロックを除く複数のブロックを左上からラスタ方向に沿って順に見たときの最初に現れる空きブロックを特定する。空きブロック特定部１５１は、ステップＳ５３において配置対象画像が配置可能と判定されるまでの間、次の空きブロックを順次特定する。
【０１０８】
図１８の例示では、空きブロック特定部１５１は、ブロックＢ４以外の空きブロックとしてブロックＢ７を特定する。そして、配置判定部１５２は、ブロックＢ７の左上隅と画像２１ｃの左上隅とが一致するように当該画像２１ｃが配置可能か否かを判定する。図１８の例示では、ブロックＢ７，Ｂ８，Ｂ１１及びＢ１２から成る２×２のブロックが空いているため、図１９に示されるように、画像配置部１５３は、ブロックＢ７，Ｂ８，Ｂ１１及びＢ１２に画像２１ｃを配置する。
【０１０９】
４回目に実行されるステップＳ５１において、画像２１ｄが配置対象画像として決定される。画像２１ｄは第１表示サイズ（１×１の大きさ）である。図１９に示されるように画像２１ａ〜２１ｃが配置された状態において、空きブロック特定部１５１は、ステップＳ５２において、ブロックＢ４を空きブロックと特定する。そして、ステップＳ５３では配置対象画像が配置可能であると判定され、図２０に示されるように、画像配置部１５３は、ステップＳ５４において、ブロックＢ４に画像２１ｄを配置する。
【０１１０】
以後、配置決定部１５０は、同様に動作して、一覧表示画面２０ａに示されるすべての画像の配置が決定される。表示部１２は、配置決定部１５０で決定された配置に従って配置された複数の画像を含む一覧表示画面２０ａを表示する。
【０１１１】
以上のように配置決定部１５０が動作することによって、一覧表示画面２０ａにおいて、表示サイズが互いに異なる複数の画像をできるだけ隙間なく配置することができる。よって、一覧表示画面２０ａの大きさを小さくすることができる。これにより、ユーザは、一覧表示画面２０ａ内の複数の画像から重要な画像をさらに特定しやすくなる。
【０１１２】
なお、これまで説明した内容は、記憶部１０３に記憶された複数の画像を全て撮影日時が早いもの順に並べて表示する場合に限らず、例えば、撮影された月毎又は日毎に並べる場合のように、記憶部１０３に記憶された複数の画像の一部を撮影日時が早いもの順に並べて表示する場合にも適用可能である。
【０１１３】
上記の例では、本開示の技術を携帯電話機に適用する場合を例にあげて説明したが、本開示の技術は、複数の画像を並べて表示する表示部を備える電子機器であればどのような電子機器にも適用することができる。例えば、本開示の技術は、パーソナルコンピュータ、タブレット端末あるいは腕などに装着するウェアラブルタイプの電子機器等にも適用することができる。
【０１１４】
以上のように、電子機器１は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【０１１５】
１  電子機器
１０  制御部
１２  表示部
２０ａ  一覧表示画面
１００  画像管理部
１１０  重要度決定部
１２０  連写画像特定部
１３０  類似画像特定部
１４０  表示サイズ決定部
１５０  配置決定部
【図１】
0006513963.tif 000002
【図２】
0006513963.tif 000003
【図３】
0006513963.tif 000004
【図４】
0006513963.tif 000005
【図５】
0006513963.tif 000006
【図６】
0006513963.tif 000007
【図７】
0006513963.tif 000008
【図８】
0006513963.tif 000009
【図９】
0006513963.tif 000010
【図１０】
0006513963.tif 000011
【図１１】
0006513963.tif 000012
【図１２】
0006513963.tif 000013
【図１３】
0006513963.tif 000014
【図１４】
0006513963.tif 000015
【図１５】
0006513963.tif 000016
【図１６】
0006513963.tif 000017
【図１７】
0006513963.tif 000018
【図１８】
0006513963.tif 000019
【図１９】
0006513963.tif 000020
【図２０】
0006513963.tif 000021